(57)【要約】【課題】異常電流による発光素子への影響を低減することができる内視鏡装置を提供する。【解決手段】ＬＥＤ駆動電源１０２はＬＥＤ５０１に駆動電力を供給する。異常電流検出回路１０４は、ＬＥＤ５０１に流れる異常電流を検出する。異常電流検出信号１００ｂが異常電流の検出を示している場合、ＬＥＤ駆動電源１０２内の制御部１０２ａは、ＬＥＤ駆動電源１０２による駆動電力の供給を停止する。または、電流制限回路１０３内の制御部１０３ａは、電流制限回路１０３によって制限される電流値を決定する抵抗値を切り替えて、電流値が小さくなるように制御する。または、システム制御部１０１は、表示部１０７にエラーメッセージあるいは警告メッセージを表示させる。【選択図】図２
2009003406.tif 000002
【特許請求の範囲】
【請求項１】
発光素子に駆動電力を供給する電源と、
前記発光素子に流れる異常電流を検出する異常電流検出手段と、
前記異常電流検出手段によって前記異常電流が検出された場合に、所定の機能を実行する機能実行手段と、
を備えたことを特徴とする内視鏡装置。
【請求項２】
光学系および前記発光素子を内蔵する光学アダプタを挿入部の先端に着脱可能な内視鏡装置において、
前記光学アダプタの着脱状態および種類の少なくとも一方を判定する判定手段と、
前記判定手段による判定に必要な電力を供給する判定用電源と、
をさらに備えたことを特徴とする請求項１に記載の内視鏡装置。
【請求項３】
前記発光素子を駆動する場合には、前記電源からの駆動電力が前記異常電流検出手段を経由して前記発光素子に供給され、
前記判定手段が判定を行う場合には、前記判定用電源からの電力が前記異常電流検出手段を経由せずに前記発光素子および前記判定手段に供給される
ことを特徴とする請求項２に記載の内視鏡装置。
【請求項４】
前記異常電流の電流値を制限する電流制限手段をさらに備えたことを特徴とする請求項１〜請求項３のいずれかに記載の内視鏡装置。
【請求項５】
前記機能実行手段が実行する前記所定の機能は、前記異常電流検出手段によって前記異常電流が検出された場合に前記電源からの駆動電力の供給量を制御することであることを特徴とする請求項１〜請求項４のいずれかに記載の内視鏡装置。
【請求項６】
前記機能実行手段が実行する前記所定の機能は、前記異常電流検出手段によって前記異常電流が検出された場合に、前記電流制限手段によって制限される電流値を制御することであることを特徴とする請求項４に記載の内視鏡装置。
【請求項７】
前記機能実行手段が実行する前記所定の機能は、前記異常電流検出手段によって前記異常電流が検出された場合に使用者に報知を行うことであることを特徴とする請求項１〜請求項４のいずれかに記載の内視鏡装置。
【請求項８】
前記異常電流検出手段は、前記発光素子が接続されるラインの電圧と基準電圧を比較した結果に基づいて前記異常電流を検出することを特徴とする請求項１〜請求項７のいずれかに記載の内視鏡装置。
【請求項９】
光学系および前記発光素子を内蔵する光学アダプタを挿入部の先端に着脱可能な内視鏡装置において、前記光学アダプタの種類に応じた電圧に前記基準電圧が設定されることを特徴とする請求項８に記載の内視鏡装置。
【発明の詳細な説明】
【技術分野】
【０００１】
本発明は、発光素子を備えた内視鏡装置に関する。
【背景技術】
【０００２】
プラントやビルのパイプのメンテナンス、ジェトエンジンの内部の検査、ボイラの内部の検査等を行うための内視鏡装置が広く用いられている。また、ＬＥＤやＬＤ等の発光素子やレンズを内蔵した光学アダプタを細長の挿入部の先端に着脱可能な内視鏡装置も用いられている（例えば特許文献１参照）。
【０００３】
光学アダプタを着脱する際には、光学アダプタに内蔵された発光素子の電極が挿入部先端の金属製外装部と接触する単一故障が発生する可能性がある。また、単一故障では、発光素子の電源入力のみがグラウンド（ＧＮＤ）に接続されるパターン、発光素子の電源出力のみがグラウンド（ＧＮＤ）に接続されるパターン、発光素子の電源入力と電源出力の両方がグラウンド（ＧＮＤ）に接続されるパターンの３通りの現象のいずれかが発生することが考えられる。
【０００４】
電源入力のみがグラウンド（ＧＮＤ）に接続されるパターンと、電源入力と電源出力の両方がグラウンド（ＧＮＤ）に接続されるパターンとでは、発光素子に電流が流れることはないが、電源出力のみがグラウンド（ＧＮＤ）に接続されるパターンでは、電源→発光素子→グラウンド（ＧＮＤ）という電流経路で、正常動作時とは異なる異常電流が流れて発光素子が破損してしまう。そこで、特許文献１に記載された内視鏡装置は、発光素子に供給する電流値を制限する電流制限回路を有している。
【特許文献１】特開２００５−６６３５６号公報
【発明の開示】
【発明が解決しようとする課題】
【０００５】
電流制限回路を設けることによって、異常電流の電流値を制限し、発光素子の破損を防止することが可能である。しかし、通常の電流制限回路によって制限される電流値は正常動作時の電流値よりも高い値であるため、発光素子が破損に至らなくても、使用者が単一故障に気付かず、正常動作時よりも高い電流が発光素子に流れている状態で内視鏡装置を使用し続けてしまい、発光素子の寿命が短くなる等の影響が出る。
【０００６】
本発明は、上述した課題に鑑みてなされたものであって、異常電流による発光素子への影響を低減することができる内視鏡装置を提供することを目的とする。
【課題を解決するための手段】
【０００７】
本発明は、上記の課題を解決するためになされたもので、発光素子に駆動電力を供給する電源と、前記発光素子に流れる異常電流を検出する異常電流検出手段と、前記異常電流検出手段によって前記異常電流が検出された場合に、所定の機能を実行する機能実行手段とを備えたことを特徴とする内視鏡装置である。
【０００８】
また、本発明は、光学系および前記発光素子を内蔵する光学アダプタを挿入部の先端に着脱可能な内視鏡装置において、前記光学アダプタの着脱状態および種類の少なくとも一方を判定する判定手段と、前記判定手段による判定に必要な電力を供給する判定用電源とをさらに備えたことを特徴とする。
【０００９】
また、本発明の内視鏡装置において、前記発光素子を駆動する場合には、前記電源からの駆動電力が前記異常電流検出手段を経由して前記発光素子に供給され、前記判定手段が判定を行う場合には、前記判定用電源からの電力が前記異常電流検出手段を経由せずに前記発光素子および前記判定手段に供給されることを特徴とする。
【００１０】
また、本発明の内視鏡装置は、前記異常電流の電流値を制限する電流制限手段をさらに備えたことを特徴とする。
【００１１】
また、本発明の内視鏡装置において、前記機能実行手段が実行する前記所定の機能は、前記異常電流検出手段によって前記異常電流が検出された場合に前記電源からの駆動電力の供給量を制御することであることを特徴とする。
【００１２】
また、本発明の内視鏡装置において、前記機能実行手段が実行する前記所定の機能は、前記異常電流検出手段によって前記異常電流が検出された場合に、前記電流制限手段によって制限される電流値を制御することであることを特徴とする。
【００１３】
また、本発明の内視鏡装置において、前記機能実行手段が実行する前記所定の機能は、前記異常電流検出手段によって前記異常電流が検出された場合に使用者に報知を行うことであることを特徴とする。
【００１４】
また、本発明の内視鏡装置において、前記異常電流検出手段は、前記発光素子が接続されるラインの電圧と基準電圧を比較した結果に基づいて前記異常電流を検出することを特徴とする。
【００１５】
また、本発明の内視鏡装置は、光学系および前記発光素子を内蔵する光学アダプタを挿入部の先端に着脱可能な内視鏡装置において、前記光学アダプタの種類に応じた電圧に前記基準電圧が設定されることを特徴とする。
【発明の効果】
【００１６】
本発明によれば、異常電流が検出された場合に、異常電流の低下につながる所定の機能を実行することが可能となるので、異常電流による発光素子への影響を低減することができるという効果が得られる。
【発明を実施するための最良の形態】
【００１７】
以下、図面を参照し、本発明の実施形態を説明する。
【００１８】
（第1の実施形態）
まず、本発明の第１の実施形態を説明する。図１は、本実施形態による内視鏡装置の外観を示している。この内視鏡装置は、メインユニット１と、このメインユニット１に接続されるスコープユニット２とを備えている。メインユニット１は、内視鏡装置全体の制御を行うユニットであり、システム制御部のほか、電源や画像処理回路等を備えている。スコープユニット２には、可撓性の挿入チューブからなる挿入部３が設けられ、この挿入部３の先端に位置する先端部４には撮像素子が設けられている。撮像素子からの画像信号はメインユニット１に送られ、表示部１０７に被検体の撮影画像が表示される。また、先端部４には、光学系（レンズ）や照明用の発光素子を内蔵した光学アダプタ５が着脱可能となっている。
【００１９】
図２は内視鏡装置の内部構成を示している。図２では、発光素子に関係する構成のみを図示しており、撮像素子や画像処理回路等の図示を省略している。また、図２に示す内視鏡装置では、発光素子の一例としてＬＥＤが用いられている。
【００２０】
システム制御部１０１、ＬＥＤ駆動電源１０２、電流制限回路１０３、異常電流検出回路１０４、定電流回路１０５、電流値設定回路１０６、および表示部１０７は、図１に示したメインユニット１に設けられている。システム制御部１０１は内視鏡装置全体の制御を実行する。ＬＥＤ駆動電源１０２は、光学アダプタ５内に設けられたＬＥＤ５０１に駆動電力を供給する。通常動作では、ＬＥＤ駆動電源１０２のＯＮ／ＯＦＦはシステム制御部１０１からの制御信号１００ａによって制御される。ＬＥＤ駆動電源１０２内の制御部１０２ａは、ＬＥＤ５０１に異常電流が流れた場合に、ＬＥＤ駆動電源１０２からの駆動電力の供給量を制御する。
【００２１】
電流制限回路１０３は、単一故障時に流れる異常電流の電流値を制限する。また、電流制限回路１０３内の制御部１０３ａは、ＬＥＤ５０１に異常電流が流れた場合に、電流制限回路１０３によって制限される電流値を決定する抵抗値を切り替えて、電流値が小さくなるように制御する。異常電流検出回路１０４は単一故障時に異常電流を検出する。また、異常電流検出回路１０４は、異常電流の有無を示す異常電流検出信号１００ｂをシステム制御部１０１、ＬＥＤ駆動電源１０２、および電流制限回路１０３へ出力する。
【００２２】
定電流回路１０５はＬＥＤ５０１を流れる電流を一定にする。ＬＥＤ５０１での電圧降下すなわちＬＥＤ５０１の発光光量がばらつくため、定電流回路１０５を設けてＬＥＤ５０１の発光光量を一定にするよう構成されている。電流値設定回路１０６は、システム制御部１０１からの指示に基づいて、ＬＥＤ５０１の駆動電流値を定電流回路１０５に設定する。表示部１０７は撮影画像やメニュー等を表示する。
【００２３】
図３は異常電流検出回路１０４の回路構成を示している。ＬＥＤ５０１の駆動電流が流れるラインＬ１に対して直列に抵抗Ｒ１が挿入されている。この抵抗Ｒ１の両端の電圧差に応じた電圧が差動増幅回路ＯＰ１の出力端子に現れる。電圧比較回路ＯＰ２は、差動増幅回路ＯＰ１の出力電圧と基準電圧を比較した結果に応じた信号を出力する。突発的に極めて短い時間に流れるチャタリングやサージ等の電流を異常電流として検出しないようにするため、電圧比較回路ＯＰ２の出力に時定数を持たせることが望ましい。ラッチ回路ＲＳは電圧比較回路ＯＰ２の出力電圧を保持し、異常電流検出信号１００ｂとして出力する。
【００２４】
次に、図２に示した内視鏡装置の動作を説明する。撮像時にはシステム制御部１０１からの制御信号１００ａによりＬＥＤ駆動電源１０２がＯＮとなる。ＬＥＤ駆動電源１０２から出力される電圧は、電流制限回路１０３および異常電流検出回路１０４を経由してＬＥＤ５０１のアノード端子に印加される。これと同時に、システム制御部１０１からの制御信号１００ｃに従って電流値設定回路１０６がＬＥＤ５０１の駆動電流値を定電流回路１０５に設定する。この結果、定電流回路１０５によってＬＥＤ５０１に一定の電流が流れ、ＬＥＤ５０１が点灯する。
【００２５】
単一故障時には、挿入部３内でＬＥＤ５０１のカソード端子側の信号線Ｌ２が金属性外装部と接触し、グラウンドＧＮＤと短絡するため、ＬＥＤ５０１を通ってグラウンドＧＮＤに異常電流が流れる。このとき、異常電流検出回路１０４によって異常電流が検出されると共に、電流制限回路１０３によって異常電流の電流値が制限される。また、異常電流検出回路１０４から出力される異常電流検出信号１００ｂに基づいた以下の３つの動作例の少なくともいずれかが行われる。
【００２６】
まず、第１の動作例を説明する。ＬＥＤ駆動電源１０２内の制御部１０２ａは、異常電流検出信号１００ｂが異常電流の検出を示している場合には、ＬＥＤ駆動電源１０２による駆動電力の供給を停止する。例えば、制御部１０２ａは、ＦＥＴによるスイッチ回路として構成され、ＬＥＤ５０１への駆動電力供給ラインを切断する。または、ＬＥＤ５０１の駆動電圧の供給回路をＤＣ／ＤＣコンバータ回路で構成する場合には、制御部１０２ａはＤＣ／ＤＣコンバータ回路の出力を停止する。また、ＬＥＤ駆動電源１０２による駆動電力の供給を完全に停止してしまうのではなく、ＬＥＤ５０１に対する異常電流の影響が十分に低下するレベルにまで駆動電力の供給量（駆動電圧）が低下するようにしてもよい。
【００２７】
次に、第２の動作例を説明する。電流制限回路１０３内の制御部１０３ａは、異常電流検出信号１００ｂが異常電流の検出を示している場合には、電流制限回路１０３によって制限される電流値を以下のようにして制御する。図４は電流制限回路１０３の回路構成を示している。制御部１０３ａを除いた構成は従来の電流制限回路と同様である。
【００２８】
正常動作時にはトランジスタＴｒ１，Ｔｒ２のうち、トランジスタＴｒ１のみがＯＮとなり、抵抗Ｒ２，Ｒ３を通る経路で主な電流が流れる。一方、異常電流が流れた場合、異常電流によって抵抗Ｒ２，Ｒ３に発生する電圧がトランジスタＴｒ２のベース・エミッタ間電圧Ｖｂｅを超えるため、ベース電流が流れ、トランジスタＴｒ２がＯＮとなる。このため、トランジスタＴｒ１のベース電圧が低下し、電流が制限される。
【００２９】
また、制御部１０３ａは以下のように動作する。正常動作時には、異常電流検出信号１００ｂがＨレベルとなり、トランジスタＴｒ３がＯＮとなるため、ＦＥＴ１０３１のゲート電圧がほぼＧＮＤレベルとなる。この結果、ＦＥＴ１０３１のゲート・ソース間電圧ＶＧＳが大きくなるため、ＦＥＴ１０３１がＯＮとなり、ＦＥＴ１０３１を通る経路で主な電流が流れる。
【００３０】
一方、異常電流が流れた場合、異常電流検出信号１００ｂがＬレベルとなり、トランジスタＴｒ３がＯＦＦとなるため、ＦＥＴ１０３１のゲート電圧が大きくなる。この結果、ＦＥＴ１０３１のゲート・ソース間電圧ＶＧＳが小さくなるため、ＦＥＴ１０３１がＯＦＦとなり、抵抗Ｒ２を通る経路で主な電流が流れる。これによって、異常電流を制限することができる。また、制御部１０３ａを除く従来の電流制限回路と同様の部分によって制限される電流値よりもさらに小さい電流値となるように電流を制限することができる。このように、異常電流が流れた場合に電流制限値を小さくすることによって、ＬＥＤ５０１を消灯せずに観察可能状態を維持したままＬＥＤ５０１を保護することができる。
【００３１】
次に、第３の動作例を説明する。システム制御部１０１は、異常電流検出信号１００ｂが異常電流の検出を示している場合には、表示部１０７にエラーメッセージあるいは警告メッセージを表示させる。これによって、使用者に装置の異常を認識させることが可能となるので、装置の異常を認識した使用者がＬＥＤ駆動電源１０２をＯＦＦにすること等が期待される。本実施形態では、使用者に対する報知を行う方法として、表示部１０７が表示を行うことを挙げているが、これに限らず、警告音を出したり、警告ランプを点灯させたりしてもよい。
【００３２】
上述したように、本実施形態によれば、異常電流が検出された場合に、異常電流の低下につながる所定の機能を実行することが可能となるので、異常電流による発光素子への影響、ひいては発光素子を搭載した基板や光学アダプタへの影響を低減することができる。したがって、発光素子や基板、光学アダプタの破損を防止すると共に、寿命を伸ばすことができる。
【００３３】
（第２の実施形態）
次に、本発明の第２の実施形態を説明する。図５は、本実施形態による内視鏡装置の内部構成を示している。本実施形態による内視鏡装置は、光学アダプタの着脱状態および種類を判定する機能を備えた内視鏡装置であって、図１に示したメインユニット１内に判定用電源１０８および判定回路１０９を設けたと共に、光学アダプタ５内に判定用抵抗５０２を設けたものである。これら以外の構成は第１の実施形態と同様である。
【００３４】
判定用電源１０８は、光学アダプタ５の着脱状態および種類の判定に必要な電力を供給する。判定用電源１０８のＯＮ／ＯＦＦはシステム制御部１０１からの制御信号１００ｄによって制御される。判定回路１０９は光学アダプタ５の着脱状態および種類の判定を行う。判定用抵抗５０２の抵抗値は光学アダプタ５の種類に応じて異なる。
【００３５】
以下、本実施形態による内視鏡装置の動作を説明する。ＬＥＤ駆動電源１０２と判定用電源１０８は、それらが同時にＯＮとなることがないようにシステム制御部１０１によって制御され、一方がＯＮのときは他方がＯＦＦである。まず、ＬＥＤ駆動電源１０２と判定用電源１０８が共にＯＦＦの状態でシステム制御部１０１からの制御信号１００ｄによって判定用電源１０８がＯＮとなる。
【００３６】
判定用電源１０８の出力電圧が判定用抵抗５０２に印加され、判定用抵抗５０２の出力電圧が判定回路１０９に印加される。判定回路１０９は、この電圧に基づいて光学アダプタ５の着脱状態および種類を判定し、判定結果を示す信号１００ｅをシステム制御部１０１へ出力する。光学アダプタ５が装着されている場合、システム制御部１０１は、光学アダプタ５すなわちＬＥＤ５０１の種類に応じた電流値を設定するための制御信号１００ｃを電流値設定回路１０６へ出力する。なお、電流値設定回路１０６へ出力される制御信号１００ｃが示す、各種光学アダプタに応じた電流値は、システム制御部１０１内に予め格納されているテーブルを参照して決められるものとする。電流値設定回路１０６は、システム制御部１０１から出力された制御信号１００ｃに従って、定電流回路１０５に対してＬＥＤ５０１の駆動電流値を設定する。
【００３７】
また、システム制御部１０１は制御信号１００ｄによって判定用電源１０８をＯＦＦにすると共に、制御信号１００ａによってＬＥＤ駆動電源１０２をＯＮにする。この結果、定電流回路１０５によってＬＥＤ５０１に一定の電流が流れ、ＬＥＤ５０１が点灯する。
【００３８】
単一故障時の動作は第１の実施形態と同様である。したがって、本実施形態においても、第１の実施形態と同様に、異常電流による発光素子等への影響を低減することができる。また、本実施形態によれば、以下の効果も得られる。
【００３９】
図５に示すように、異常電流検出回路１０４の入力端子は電流制限回路１０３を介してＬＥＤ駆動電源１０２の出力端子に接続され、異常電流検出回路１０４の出力端子は判定用電源１０８の出力端子およびＬＥＤ５０１の入力端子に接続されている。したがって、ＬＥＤ駆動電源１０２がＯＮの場合、ＬＥＤ駆動電源１０２からの駆動電流が異常電流検出回路１０４およびＬＥＤ５０１に流れる。一方、判定用電源１０８がＯＮの場合、異常電流検出回路１０４の出力インピーダンスはＬＥＤ５０１の入力インピーダンスよりも十分高くなるため、判定用電源１０８からの電流は異常電流検出回路１０４にはほとんど流れず、ＬＥＤ５０１に流れる。
【００４０】
言い換えると、ＬＥＤ５０１を駆動する場合には、ＬＥＤ駆動電源１０２からの駆動電力が異常電流検出回路１０４を経由してＬＥＤ５０１に供給され、判定回路１０９が判定を行う場合には、判定用電源１０８からの電力が異常電流検出回路１０４を経由せずにＬＥＤ５０１および判定回路１０９に供給される。異常電流検出回路１０４を判定用電源１０８の電力供給ラインに直列に挿入すると、異常電流検出回路１０４の電圧降下のばらつき等により、光学アダプタ５の着脱状態および種類の判定を正しく行うことができなくなる。しかし、本実施形態のように判定用電源１０８からの電力供給に影響を与えない位置に異常電流検出回路１０４を配置することによって、光学アダプタ５の着脱状態および種類の判定を正しく行うことができる。
【００４１】
（第３の実施形態）
次に、本発明の第３の実施形態を説明する。図６は、本実施形態による内視鏡装置の内部構成を示している。本実施形態による内視鏡装置では、異常電流検出回路１１０に関する部分が第２の実施形態と異なっているが、それ以外は第２の実施形態と同様である。また、異常電流を検出した後の動作は第１の実施形態と同様である。
【００４２】
本実施形態では、ＬＥＤ５０１が接続されるラインＬ３の電圧を検出するため、ＬＥＤ駆動電源１０２からＬＥＤ５０１の駆動電力が供給されるラインＬ３に対して並列に異常電流検出回路１１０が接続されている。ＬＥＤ５０１を駆動する通常状態では、ラインＬ３の電圧は、ＬＥＤ駆動電源１０２の出力電圧から電流制限回路１０３での電圧降下分を減算した電圧となる。これに対して、単一故障時には、ＬＥＤ５０１のカソード端子がグラウンドＧＮＤに接続されるため、ＬＥＤ５０１のアノード端子に接続されたラインＬ３の電圧は、ＬＥＤ５０１の順方向電圧で決定される電圧となる。
【００４３】
このように、単一故障が発生するとラインＬ３の電圧が変化するので、この電圧変化を検出することによって、異常電流を検出することが可能となる。本実施形態の異常電流検出回路１１０は、ラインＬ３の電圧と基準電圧を比較した結果に基づいて異常電流を検出する。ＬＥＤ５０１を構成する個々のＬＥＤ素子の直列接続数は光学アダプタ５の種類に応じて異なるので、光学アダプタ５の種類に応じてＬＥＤ５０１の順方向電圧が変化する。つまり、ラインＬ３の電圧と比較する基準電圧を光学アダプタ５の種類に応じて変化させる必要がある。そこで、システム制御部１０１は、判定回路１０９によって判定された光学アダプタ５の種類に応じた光学アダプタ識別信号１００ｆを異常電流検出回路１１０へ出力し、異常電流検出回路１１０は、光学アダプタ識別信号１００ｆに基づいて基準電圧を設定する。
【００４４】
図７は異常電流検出回路１１０の回路構成を示している。ラインＬ３の電圧と基準電圧が電圧比較回路ＯＰ３に入力される。電圧比較回路ＯＰ３は、ラインＬ３の電圧と基準電圧を比較した結果に応じた信号を出力する。この信号は、チャタリング防止用のフィルタＦ１を介してラッチ回路ＲＳ２に入力される。ラッチ回路ＲＳ２は、入力された信号を保持し、異常電流検出信号１００ｂとして出力する。
【００４５】
ラインＬ３の電圧と比較される基準電圧は、電源電圧を抵抗Ｒ４と可変抵抗部１１０ａで分圧した電圧である。可変抵抗部１１０ａは、抵抗とトランジスタからなる直列回路を複数個並列に接続した回路である。図７に示した異常電流検出回路１１０では、部分的に直列回路の図示を省略しているが、抵抗Ｒ５とトランジスタＴｒ４からなる第１の直列回路から、抵抗ＲｎとトランジスタＴｒｎ−１からなる第ｎ−４の直列回路までのｎ−４個の直列回路が並列に接続されている。
【００４６】
システム制御部１０１から入力される光学アダプタ識別信号１００ｆはｎ−４ビットの信号であり、各直列回路を構成するトランジスタのベース端子に各ビットの信号が入力される。各ビットの信号のＨｉｇｈ／Ｌｏｗのレベルに応じてトランジスタがＯＮまたはＯＦＦとなり、可変抵抗部１１０ａの抵抗値が変化する。したがって、光学アダプタ５の種類に応じて光学アダプタ識別信号１００ｆの各ビットの信号のＨｉｇｈ／Ｌｏｗのレベルを設定することによって、光学アダプタ５の種類に応じた最適な基準電圧を生成することができる。図７に示した異常電流検出回路１１０では、ｎ−４種類の光学アダプタに対応することが可能であるが、種類数に限定はない。光学アダプタの種類数が多い場合には、光学アダプタ識別信号のビット数を削減するためにデコーダを搭載してもよい。
【００４７】
上述したように、本実施形態によれば、発光素子が接続されるラインの電圧と基準電圧を比較した結果に基づいて異常電流を検出することができる。したがって、異常電流を検出した場合に、異常電流の低下につながる所定の機能を実行することによって、第１の実施形態と同様に異常電流による発光素子への影響を低減することができる。また、発光素子が接続されるラインの電圧と比較される基準電圧を、光学アダプタの種類に応じた電圧に設定することによって、異常電流をより正確に検出することができる。
【００４８】
（第４の実施形態）
次に、本発明の第４の実施形態を説明する。図８は、本実施形態による内視鏡装置の内部構成を示している。本実施形態による内視鏡装置では、異常電流検出回路１１１に関する部分が第３の実施形態と異なっているが、それ以外は第３の実施形態と同様である。また、異常電流を検出した後の動作は第１の実施形態と同様である。
【００４９】
第３の実施形態ではＬＥＤ５０１のアノード側のラインＬ３の電圧を検出しているが、本実施形態ではＬＥＤ５０１のカソード側のラインＬ４の電圧を検出するため、ラインＬ４に対して並列に異常電流検出回路１１１が接続されている。ＬＥＤ５０１を駆動する通常状態では、ラインＬ４の電圧は、ＬＥＤ駆動電源１０２の出力電圧から電流制限回路１０３とＬＥＤ５０１での電圧降下分を減算した電圧となる。これに対して、単一故障時には、ＬＥＤ５０１のカソード端子がグラウンドＧＮＤに接続されるため、ラインＬ４の電圧はグラウンドレベルとなる。本実施形態の異常電流検出回路１１１は、ラインＬ４の電圧と基準電圧（グラウンドレベルに近い電圧）を比較した結果に基づいて異常電流を検出する。
【００５０】
図９は異常電流検出回路１１１の回路構成を示している。図９に示した異常電流検出回路１１１では、図７に示した異常電流検出回路１１０と比較して、基準電圧に係る部分が異なっているが、それ以外は同一である。ラインＬ４の電圧と比較される基準電圧は、電源電圧を抵抗Ｒ４ａ，Ｒ４ｂで分圧した電圧であり、抵抗Ｒ４ａ，Ｒ４ｂの抵抗値の比に応じたグラウンドレベルに近い電圧に設定される。
【００５１】
本実施形態によれば、第３の実施形態と同様に、発光素子が接続されるラインの電圧と基準電圧を比較した結果に基づいて異常電流を検出することができる。したがって、異常電流を検出した場合に、異常電流の低下につながる所定の機能を実行することによって、第１の実施形態と同様に異常電流による発光素子への影響を低減することができる。また、本実施形態では、光学アダプタの種類に関係なく一律の基準電圧で異常電流を検出することができるので、第３の実施形態と比較して、異常電流検出回路の構成をより簡易にすることができる。
【００５２】
以上、図面を参照して本発明の実施形態について詳述してきたが、具体的な構成は上記の実施形態に限られるものではなく、本発明の要旨を逸脱しない範囲の設計変更等も含まれる。例えば、上記の各実施形態では発光素子が光学アダプタ内に設けられているものとしたが、挿入部の先端に発光素子を設けたり、メインユニット内に発光素子を設け、光ファイバ等のライトガイドを用いて発光素子からの光を挿入部先端に導くようにしたりしてもよい。
【図面の簡単な説明】
【００５３】
【図１】本発明の第１の実施形態による内視鏡装置の外観図である。
【図２】本発明の第１の実施形態による内視鏡装置の内部構成を示すブロック図である。
【図３】本発明の第１の実施形態による内視鏡装置が備える異常電流検出回路の回路構成を示す回路図である。
【図４】本発明の第１の実施形態による内視鏡装置が備える電流制限回路の回路構成を示す回路図である。
【図５】本発明の第２の実施形態による内視鏡装置の内部構成を示すブロック図である。
【図６】本発明の第３の実施形態による内視鏡装置が備える電流制限回路の回路構成を示す回路図である。
【図７】本発明の第３の実施形態による内視鏡装置が備える異常電流検出回路の回路構成を示す回路図である。
【図８】本発明の第３の実施形態による内視鏡装置が備える電流制限回路の回路構成を示す回路図である。
【図９】本発明の第３の実施形態による内視鏡装置が備える異常電流検出回路の回路構成を示す回路図である。
【符号の説明】
【００５４】
１・・・メインユニット、２・・・スコープユニット、３・・・挿入部、４・・・先端部、５・・・光学アダプタ、１０１・・・システム制御部（機能実行手段）、１０２・・・ＬＥＤ駆動電源、１０２ａ，１０３ａ・・・制御部（機能実行手段）、１０３・・・電流制限回路（電流制限手段）、１０４，１１０，１１１・・・異常電流検出回路（異常電流検出手段）、１０５・・・定電流回路、１０６・・・電流値設定回路、１０７・・・表示部、１０８・・・判定用電源、１０９・・・判定回路（判定手段）、５０１・・・ＬＥＤ（発光素子）、５０２・・・判定用抵抗
【図１】
2009003406.tif 000003
【図２】
2009003406.tif 000004
【図３】
2009003406.tif 000005
【図４】
2009003406.tif 000006
【図５】
2009003406.tif 000007
【図６】
2009003406.tif 000008
【図７】
2009003406.tif 000009
【図８】
2009003406.tif 000010
【図９】
2009003406.tif 000011